(57)【要約】【課題】複数個の無線信号を受信し、かつ生産コストの増大を防ぐことが可能な無線受信装置を提供する。【解決手段】無線受信装置は、無線信号を受信する受信部ＴＩＮ１と、第１の局部発振信号を出力する局部発振回路ＯＳＣ１１と、第２の局部発振信号を出力する局部発振回路ＯＳＣ１２と、受信した無線信号と第１の局部発振信号とを乗算することにより受信した無線信号を周波数変換して出力するミキサＭ１１と、ミキサＭ１１の出力信号を分配する分配回路Ｄ１１と、分配回路Ｄ１１で分配された信号のうちのいずれか１個と第２の局部発振信号とを乗算することによりＲＦミキサＭ１１の出力信号を周波数変換して出力するミキサＭ１２とを備える。【選択図】図５
2007282094.tif 000002
【特許請求の範囲】
【請求項１】
無線信号を受信する受信部と、
第１の局部発振信号を出力する第１の局部発振回路と、
第２の局部発振信号を出力する第２の局部発振回路と、
前記受信した無線信号と前記第１の局部発振信号とを乗算することにより前記受信した無線信号を周波数変換して出力するＲＦミキサと、
前記ＲＦミキサの出力信号を分配する第１の分配回路と、
前記第１の分配回路で分配された信号のうちのいずれか１個と前記第２の局部発振信号とを乗算することにより前記ＲＦミキサの出力信号を周波数変換して出力するＩＦミキサとを備える無線受信装置。
【請求項２】
前記無線受信装置は、さらに、
前記第１の分配回路で分配された信号のうちのいずれか１個および前記ＩＦミキサの出力信号のいずれかを選択して出力する選択回路を備える請求項１記載の無線受信装置。
【請求項３】
前記無線受信装置は、さらに、
前記第１の分配回路で分配された信号を分配する第２の分配回路と、
前記ＩＦミキサの出力信号を分配する第３の分配回路と、
各々が、前記第２の分配回路で分配された信号および前記第３の分配回路で分配された信号を１個ずつ入力し、前記入力した分配信号のいずれかを選択して出力する複数個の選択回路とを備える請求項１記載の無線受信装置。
【請求項４】
前記無線受信装置は、さらに、
前記第１の分配回路で分配された信号に含まれる所定の周波数成分を減衰させる第１のフィルタ回路と、
前記ＩＦミキサの出力信号に含まれる所定の周波数成分を減衰させる第２のフィルタ回路とを備える請求項１記載の無線受信装置。
【請求項５】
前記第１のフィルタ回路および前記第２のフィルタ回路は、素子またはパターンで形成される請求項４記載の無線受信装置。
【請求項６】
前記無線受信装置は、偏波の異なる複数個の無線信号を受信し、前記無線信号に対応して、前記受信部と、前記ＲＦミキサと、前記第１の分配回路と、前記ＩＦミキサとを複数個備える請求項１記載の無線受信装置。
【請求項７】
前記無線受信装置は、さらに、
前記複数個の第１の分配回路で分配された信号および前記複数個のＩＦミキサの出力信号のうちのいずれか１個を選択して出力する選択回路を備える請求項６記載の無線受信装置。
【発明の詳細な説明】
【技術分野】
【０００１】
本発明は、無線受信装置に関し、特に、周波数の異なる複数個の無線信号を受信する無線受信装置に関する。
【背景技術】
【０００２】
ＬＮＢ（Low Noise Block Down Converter）は、衛星放送受信用アンテナに取り付けられるものであり、無線受信装置の一種である。そして、ＬＮＢは、１２ＧＨｚ帯の微弱電波を衛星から受信し、受信した微弱電波を１ＧＨｚ帯の中間周波数（ＩＦ（Intermediate Frequency）周波数）に周波数変換し、周波数変換した信号を低雑音増幅し、ＤＢＳ（Direct Broadcast Satellite）チューナに、低雑音かつ十分なレベルを有する信号を出力する。ＤＢＳチューナは、同軸ケーブルを介してＬＮＢから受けた信号を内部回路によって処理し、テレビジョン受像機に出力する。
【０００３】
無線受信装置の一例として、たとえば、特許文献１には以下のようなＩＣチューナ（無線受信装置）の入力信号安定回路が開示されている。すなわち、ＲＦ増幅器、局部発振器、ミキサ、帯域フィルタおよびＩＦ増幅器を含むＩＣチューナにおいて、ＩＣチューナの前段に各受信信号帯域別に構成するか、可変同調回路を構成した帯域フィルタ手段、および帯域フィルタと自動利得調節器とから信号を受け、広帯域で制御信号として強弱受信信号に対応して自動利得を制御する低雑音増幅手段を備える。
【０００４】
また、特許文献２には以下のような衛星放送用コンバータ（無線受信装置）のスイッチング回路が開示されている。すなわち、衛星放送用コンバータに内蔵された異なる発振周波数を有する複数の局部発振器を、衛星放送用チューナから送出されるバンド切換用パルス信号が重畳されたパルス信号に応じて切り替える衛星放送用コンバータのスイッチング回路であって、衛星放送用チューナからのパルス信号を取り込んで、バンド切換用パルス信号の周波数成分のみを抽出するフィルタ回路と、フィルタ回路からのパルス信号を増幅する増幅回路と、増幅回路によって増幅されたパルス信号を整流する整流回路と、整流回路からの直流電圧と基準電圧とを比較して、パルス信号にバンド切換用パルス信号が重畳されているか否かを表す信号を出力する比較回路と、比較回路からの信号を受けて、比較結果に応じた発振周波数の局部発振器を駆動するドライブ回路とを備える。
【特許文献１】特開平３−２０８４１７号公報
【特許文献２】特開平８−２９３８１２号公報
【発明の開示】
【発明が解決しようとする課題】
【０００５】
ところで、衛星からは周波数の異なる複数個のバンドに対応するＲＦ（Radio Frequency）信号すなわち無線信号が送信される。このため、衛星から送信される複数個のＲＦ信号を受信することができる無線受信装置が要求される。
【０００６】
しかしながら、特許文献１記載の無線受信装置は、受信したＲＦ信号を周波数変換してＩＦ信号を生成する構成であるが、複数個のＲＦ信号を受信する構成ではない。ここで、ＲＦ信号を受信するための回路は一般に設計難易度および部品原価が高い。したがって、特許文献１記載の無線受信装置を単に複数個組み合わせて複数個のＲＦ信号を受信する無線受信装置を構成すると、ＲＦ信号を受信するための回路を複数個備える必要があり、無線受信装置の設計コストおよび原価が高くなってしまう。
【０００７】
また、特許文献２記載の無線受信装置では、ＲＦ信号をＩＦ信号に周波数変換するための高周波信号用の局部発振回路およびその周辺回路がＲＦ信号に対応する数だけ必要となり、無線受信装置の設計コストおよび原価が高くなってしまう。
【０００８】
それゆえに、本発明の目的は、複数個の無線信号を受信し、かつ生産コストの増大を防ぐことが可能な無線受信装置を提供することである。
【課題を解決するための手段】
【０００９】
上記課題を解決するために、この発明のある局面に係わる無線受信装置は、無線信号を受信する受信部と、第１の局部発振信号を出力する第１の局部発振回路と、第２の局部発振信号を出力する第２の局部発振回路と、受信した無線信号と第１の局部発振信号とを乗算することにより受信した無線信号を周波数変換して出力するＲＦミキサと、ＲＦミキサの出力信号を分配する第１の分配回路と、第１の分配回路で分配された信号のうちのいずれか１個と第２の局部発振信号とを乗算することによりＲＦミキサの出力信号を周波数変換して出力するＩＦミキサとを備える。
【００１０】
好ましくは、無線受信装置は、さらに、第１の分配回路で分配された信号のうちのいずれか１個およびＩＦミキサの出力信号のいずれかを選択して出力する選択回路を備える。
【００１１】
好ましくは、無線受信装置は、さらに、第１の分配回路で分配された信号を分配する第２の分配回路と、ＩＦミキサの出力信号を分配する第３の分配回路と、各々が、第２の分配回路で分配された信号および第３の分配回路で分配された信号を１個ずつ入力し、入力した分配信号のいずれかを選択して出力する複数個の選択回路とを備える。
【００１２】
好ましくは、無線受信装置は、さらに、第１の分配回路で分配された信号に含まれる所定の周波数成分を減衰させる第１のフィルタ回路と、ＩＦミキサの出力信号に含まれる所定の周波数成分を減衰させる第２のフィルタ回路とを備える。
【００１３】
好ましくは、第１のフィルタ回路および第２のフィルタ回路は、素子またはパターンで形成される。
【００１４】
好ましくは、無線受信装置は、偏波の異なる複数個の無線信号を受信し、無線信号に対応して、受信部と、ＲＦミキサと、第１の分配回路と、ＩＦミキサとを複数個備える。
【００１５】
好ましくは、無線受信装置は、さらに、複数個の第１の分配回路で分配された信号および複数個のＩＦミキサの出力信号のうちのいずれか１個を選択して出力する選択回路を備える。
【発明の効果】
【００１６】
本発明に係る無線受信装置によれば、複数個の無線信号を受信し、かつ生産コストの増大を防ぐことができる。
【発明を実施するための最良の形態】
【００１７】
以下、本発明の実施の形態について図面を用いて説明する。なお、図中同一または相当部分には同一符号を付してその説明は繰り返さない。
【００１８】
＜第１の実施の形態＞
［構成］
図１は、本発明の第１の実施の形態に係る衛星放送受信システムの構成を示す図である。
【００１９】
図１を参照して、この衛星放送受信システムは、アンテナ１０１と、ＬＮＢ（無線受信装置）１０２と、ＢＳ−ＩＦケーブル１０３と、ＤＢＳチューナ１０４と、テレビジョン受像機１０５とを備える。
【００２０】
アンテナ１０１は、放送衛星１０６からたとえば１１．７１ＧＨｚ〜１２．０１ＧＨｚの周波数帯域を有する微弱電波を無線信号として受信する。
【００２１】
ＬＮＢ１０２は、アンテナ１０１に取り付けられ、アンテナ１０１が受信した無線信号をたとえば１０３５ＭＨｚ〜１３３５ＭＨｚの周波数帯域を有するＩＦ信号に周波数変換し、ＩＦ信号を低雑音増幅してＤＢＳチューナ１０４にＢＳ−ＩＦケーブル１０３を介して出力する。
【００２２】
ＤＢＳチューナ１０４は、ＬＮＢ１０２から受けたＩＦ信号を内部回路によって処理し、テレビジョン受像機１０５に出力する。
【００２３】
図２は、ＬＮＢの構成の一例を示す機能ブロック図である。
図２を参照して、このＬＮＢは、ホーン部Ｈ６１と、低雑音増幅部Ｎ１１と、バンドパスフィルタＦ１と、ミキサＭ１と、局部発振回路ＯＳＣ６１と、ＩＦアンプ部Ｎ１２と、コイルＬ１と、コンデンサＣ１およびＣ２と、出力端子ＴＯＵＴ１と、電源制御回路ＰＳとを備える。
【００２４】
ホーン部Ｈ６１は、たとえば導波管内のアンテナプローブである入力端子（受信部）ＴＩＮ１を含む。低雑音増幅部Ｎ１１は、直列接続された低雑音増幅器Ａ１１およびＡ１２を含む。
【００２５】
ホーン部Ｈ６１は、放送衛星１０６から送信された無線信号を入力端子ＴＩＮ１において受信し、低雑音増幅部Ｎ１１へ出力する。放送衛星１０６から送信される無線信号は、たとえば１１．７１ＧＨｚ〜１２．０１ＧＨｚの周波数帯域を有する無線信号である。
【００２６】
低雑音増幅部Ｎ１１は、入力端子ＴＩＮ１を介してホーン部Ｈ６１から受けた無線信号を低雑音増幅し、バンドパスフィルタＦ１へ出力する。
【００２７】
バンドパスフィルタＦ１は、低雑音増幅部Ｎ１１から受けた信号のうち、所定の周波数帯域外の周波数成分たとえばイメージ信号を減衰させる。
【００２８】
局部発振回路ＯＳＣ６１は、たとえば１０．６７８ＧＨｚの局部発振信号を出力する。
ミキサＭ１は、バンドパスフィルタＦ１を通過した信号と局部発振回路ＯＳＣ６１から受けた局部発振信号とを乗算することにより、バンドパスフィルタＦ１を通過した信号をＩＦ信号に周波数変換する。
【００２９】
ＩＦアンプ部Ｎ１２は、ミキサＭ１から受けたＩＦ信号を低雑音増幅し、出力端子ＴＯＵＴ１から外部へ出力する。出力端子ＴＯＵＴ１からは、たとえば１０３５ＭＨｚ〜１３３５ＭＨｚの周波数帯域を有するＩＦ信号が出力される。
【００３０】
コンデンサＣ１は、ＩＦアンプ部Ｎ１２から受けたＩＦ信号の交流成分のみを通過させる。したがって、ＩＦ信号の交流成分が、出力端子ＴＯＵＴ１から外部へ出力される。
【００３１】
ＤＢＳチューナ１０４等の外部装置から出力端子ＴＯＵＴ１を介して電源制御回路ＰＳに電力が供給される。
【００３２】
図３は、ユニバーサルＬＮＢの構成の一例を示す機能ブロック図である。
図３を参照して、このユニバーサルＬＮＢは、ホーン部Ｈ１と、低雑音増幅部Ｎ５１と、バンドパスフィルタＦ１と、ミキサＭ１と、局部発振回路ＯＳＣ１およびＯＳＣ２と、ＩＦアンプ部Ｎ１２と、コイルＬ１と、コンデンサＣ１およびＣ２と、出力端子ＴＯＵＴ１と、電源制御回路ＰＳとを備える。
【００３３】
ホーン部Ｈは、たとえば導波管内のアンテナプローブである入力端子（受信部）ＴＩＮ１およびＴＩＮ２とを含む。低雑音増幅部Ｎ５１は、低雑音増幅器Ａ１１，Ａ１２，Ａ３１を含む。
【００３４】
ホーン部Ｈは、放送衛星１０６から送信された無線信号を受信する。放送衛星１０６から送信される無線信号は、たとえばローバンドすなわち１０．７ＧＨｚ〜１１．７ＧＨｚの周波数帯域を有する無線信号（周波数成分）、およびハイバンドすなわち１１．７ＧＨｚ〜１２．７５ＧＨｚの周波数帯域を有する無線信号（周波数成分）を含む。
【００３５】
また、放送衛星１０６から出力される無線信号には、Ｖ偏波（垂直偏波）およびＨ偏波（水平偏波）という２種類の偏波が存在する。このため、ホーン部Ｈは、両偏波の無線信号を受信するための２個の入力端子を有し、各入力端子で受信した両偏波の無線信号を各低雑音増幅器へ出力する。
【００３６】
すなわち、ホーン部Ｈは、放送衛星１０６から出力されたＨ偏波の無線信号を、入力端子Ｔ１において受信し、低雑音増幅器Ａ１１へ出力する。また、ホーン部Ｈは、放送衛星１０６から出力されたＶ偏波の無線信号を、入力端子Ｔ２において受信し、低雑音増幅器Ａ１２へ出力する。
【００３７】
低雑音増幅部Ｎ５１は、入力端子Ｔ１を介してホーン部Ｈから受けたＨ偏波の無線信号を低雑音増幅器Ａ１１およびＡ３１において低雑音増幅し、バンドパスフィルタＦ１へ出力する。
【００３８】
低雑音増幅部Ｎ５１は、入力端子Ｔ２を介してホーン部Ｈから受けたＶ偏波の無線信号を低雑音増幅器Ａ１２およびＡ３１において低雑音増幅し、バンドパスフィルタＦ１へ出力する。
【００３９】
バンドパスフィルタＦ１は、低雑音増幅部Ｎ５１から受けた信号のうち、所定の周波数帯域外の周波数成分を減衰させる。
【００４０】
低雑音増幅器Ａ１１，Ａ１２およびＡ３１は、電力が供給されると信号の増幅および出力を開始し、電力が供給されなくなると信号の増幅および出力を停止する。
【００４１】
電源制御回路ＰＳは、低雑音増幅器Ａ１１およびＡ１２のいずれかを選択してバイアス電圧すなわち電力を供給することにより、Ｈ偏波の無線信号およびＶ偏波の無線信号のいずれか一方を選択して低雑音増幅器Ａ３１へ出力する制御を行なう。
【００４２】
局部発振回路ＯＳＣ１は、たとえばローバンドの無線信号に対応する９．７５ＧＨｚの局部発振信号を出力する。局部発振回路ＯＳＣ２は、たとえばハイバンドの無線信号に対応する１０．６ＧＨｚの局部発振信号を出力する。局部発振回路ＯＳＣ１およびＯＳＣ２は、電力が供給されると発振を開始し、電力が供給されなくなると発振を停止する。
【００４３】
電源制御回路ＰＳは、局部発振回路ＯＳＣ１およびＯＳＣ２のいずれか一方を選択して電力を供給することにより、局部発振回路ＯＳＣ１が生成する局部発振信号および局部発振回路ＯＳＣ２が生成する局部発振信号のいずれか一方を選択してミキサＭ１へ出力する制御を行なう。
【００４４】
その他の構成および動作は図２に示すＬＮＢと同様であるため、ここでは詳細な説明を繰り返さない。
【００４５】
図４は、ユニバーサルＬＮＢの構成の一例を示す機能ブロック図である。
図４を参照して、このユニバーサルＬＮＢは、入力端子（受信部）ＴＩＮ１と、ミキサＭ５１およびＭ５２と、分配回路Ｄ５１と、局部発振回路ＯＳＣ１およびＯＳＣ２と、選択回路ＳＥＬ１と、出力端子ＴＯＵＴ１とを備える。
【００４６】
分配回路Ｄ５１は、入力端子ＴＩＮ１において受信された無線信号をミキサＭ５１およびミキサＭ５２に分配する。
【００４７】
ミキサＭ５１は、分配回路Ｄ５１から受けた無線信号と局部発振回路ＯＳＣ１から受けた局部発振信号とを乗算することにより、無線信号をＩＦ信号に周波数変換する。たとえば、このユニバーサルＬＮＢがローバンドの無線信号を受信する場合、ミキサＭ５１から出力されるＩＦ信号は９５０ＭＨｚ〜１９５０ＭＨｚの周波数帯域を有する。
【００４８】
ミキサＭ５２は、分配回路Ｄ５１から受けた無線信号と局部発振回路ＯＳＣ２から受けた局部発振信号とを乗算することにより、無線信号をＩＦ信号に周波数変換する。たとえば、このユニバーサルＬＮＢがハイバンドの無線信号を受信する場合、ミキサＭ５２から出力されるＩＦ信号は１１００ＭＨｚ〜２１５０ＭＨｚの周波数帯域を有する。
【００４９】
選択回路ＳＥＬ１は、ミキサＭ５１の出力信号およびミキサＭ５２の出力信号のいずれかを選択し、出力端子ＴＯＵＴ１から外部へ出力する。たとえば、選択回路ＳＥＬ１は、このユニバーサルＬＮＢがローバンドの無線信号を受信する場合には、ミキサＭ５１から受けた９５０ＭＨｚ〜１９５０ＭＨｚの周波数帯域を有するＩＦ信号を選択して出力する。また、選択回路ＳＥＬ１は、このユニバーサルＬＮＢがハイバンドの無線信号を受信する場合には、ミキサＭ５２から受けた１１００ＭＨｚ〜２１５０ＭＨｚの周波数帯域を有するＩＦ信号を選択して出力する。
【００５０】
その他の構成および動作は図３に示すユニバーサルＬＮＢと同様であるため、ここでは詳細な説明を繰り返さない。
【００５１】
ここで、図３および図４に示すユニバーサルＬＮＢでは、ハイバンドの無線信号およびローバンドの無線信号に対応してミキサおよび局部発振回路等で構成されるＲＦ回路を２個備える必要があり、無線受信装置の設計コストおよび原価が高くなってしまう。
【００５２】
本発明の第１の実施の形態に係る無線受信装置は、このような図３および図４に示すユニバーサルＬＮＢの問題点を解決する。
【００５３】
図５は、本発明の第１の実施の形態に係る無線受信装置の構成を示す機能ブロック図である。
【００５４】
図５を参照して、無線受信装置２０１は、入力端子（受信部）ＴＩＮ１と、ミキサ（ＲＦミキサ）Ｍ１１と、ミキサ（ＩＦミキサ）Ｍ１２と、分配回路（第１の分配回路）Ｄ１１と、局部発振回路ＯＳＣ１１およびＯＳＣ１２と、選択回路ＳＥＬ１と、出力端子ＴＯＵＴ１とを備える。
【００５５】
局部発振回路ＯＳＣ１１は、たとえば９．７５ＧＨｚの局部発振信号を出力する。局部発振回路ＯＳＣ１２は、たとえば８５０ＭＨｚの局部発振信号を出力する。
【００５６】
ミキサＭ１１は、入力端子ＴＩＮ１において受信された無線信号と局部発振回路ＯＳＣ１１から受けた局部発振信号とを乗算することにより、無線信号を第１のＩＦ信号に周波数変換する。たとえば、無線受信装置２０１がローバンドの無線信号を受信する場合、第１のＩＦ信号は９５０ＭＨｚ〜１９５０ＭＨｚの周波数帯域を有する。また、無線受信装置２０１がハイバンドの無線信号を受信する場合、第１のＩＦ信号は１９５０ＭＨｚ〜３０００ＭＨｚの周波数帯域を有する。
【００５７】
分配回路Ｄ１１は、ミキサＭ１１から受けた第１のＩＦ信号を選択回路ＳＥＬ１およびミキサＭ１２に分配する。
【００５８】
ミキサＭ１２は、分配回路Ｄ１１から受けた第１のＩＦ信号と局部発振回路ＯＳＣ１２から受けた局部発振信号とを乗算することにより、第１のＩＦ信号を第２のＩＦ信号に周波数変換する。たとえば、無線受信装置２０１がハイバンドの無線信号を受信する場合、第２のＩＦ信号は１１００ＭＨｚ〜２１５０ＭＨｚの周波数帯域を有する。
【００５９】
選択回路ＳＥＬ１は、第１のＩＦ信号および第２のＩＦ信号のいずれかを選択し、出力端子ＴＯＵＴ１から外部へ出力する。たとえば、選択回路ＳＥＬ１は、無線受信装置２０１がローバンドの無線信号を受信する場合には、分配回路Ｄ１１から受けた９５０ＭＨｚ〜１９５０ＭＨｚの周波数帯域を有する第１のＩＦ信号を選択して出力する。また、選択回路ＳＥＬ１は、無線受信装置２０１がハイバンドの無線信号を受信する場合には、ミキサＭ１２から受けた１１００ＭＨｚ〜２１５０ＭＨｚの周波数帯域を有する第２のＩＦ信号を選択して出力する。
【００６０】
なお、無線受信装置２０１は、選択回路ＳＥＬ１を備えず、第１のＩＦ信号および第２のＩＦ信号を出力端子ＴＯＵＴ１から外部へ出力する構成であってもよい。また、無線受信装置２０１は、選択回路ＳＥＬ１の代わりに電源制御回路ＰＳを備え、局部発振回路ＯＳＣ１への電力供給および局部発振回路ＯＳＣ２への電力供給を切り替えることにより、第１のＩＦ信号および第２のＩＦ信号のいずれかを選択して外部へ出力する構成であってもよい。
【００６１】
図６は、図３または図４に示すユニバーサルＬＮＢがＲＦ信号をＩＦ信号に周波数変換する動作を示す図である。
【００６２】
図６を参照して、図３または図４に示すユニバーサルＬＮＢは、１０．７ＧＨｚ〜１１．７ＧＨｚのローバンドの周波数帯域を有するＲＦ信号を９．７５ＧＨｚの局部発振信号を用いて９５０ＭＨｚ〜１９５０ＭＨｚの周波数帯域を有する第１のＩＦ信号に周波数変換する。また、図３または図４に示すユニバーサルＬＮＢは、１１．７ＧＨｚ〜１２．７５ＧＨｚのハイバンドの周波数帯域を有するＲＦ信号を１０．６ＧＨｚの局部発振信号を用いて１１００ＭＨｚ〜２１５０ＭＨｚの周波数帯域を有する第２のＩＦ信号に周波数変換する。
【００６３】
図７は、本発明の第１の実施の形態に係る無線受信装置がＲＦ信号をＩＦ信号に周波数変換する動作を示す図である。
【００６４】
図７を参照して、無線受信装置２０１は、ローバンドのＲＦ信号およびハイバンドのＲＦ信号のいずれを受信する場合でも、９．７５ＧＨｚの局部発振信号を用いてＲＦ信号を第１のＩＦ信号に周波数変換する。そして、無線受信装置２０１は、ハイバンドのＲＦ信号を受信する場合には、１９５０ＭＨｚ〜３０００ＭＨｚの周波数帯域を有する第１のＩＦ信号をさらに８５０ＭＨｚの局部発振信号を用いて１１００ＭＨｚ〜２１５０ＭＨｚの周波数帯域を有する第２のＩＦ信号に周波数変換する。そして、無線受信装置２０１は、ローバンドのＲＦ信号を受信する場合には第１のＩＦ信号を外部へ出力し、ハイバンドのＲＦ信号を受信する場合には第２のＩＦ信号を外部へ出力する。
【００６５】
ところで、特許文献１および特許文献２記載の無線受信装置ならびに図３および図４に示すユニバーサルＬＮＢでは、ＲＦ信号を受信するための回路がＲＦ信号に対応する数だけ必要となり、無線受信装置の設計コストおよび原価が高くなってしまうという問題点があった。しかしながら、本発明の第１の実施の形態に係る無線受信装置では、ミキサＭ１１は、入力端子ＴＩＮ１において受信された無線信号と局部発振回路ＯＳＣ１１から受けた局部発振信号とを乗算することにより、無線信号を第１のＩＦ信号に周波数変換する。分配回路Ｄ１１は、ミキサＭ１１から受けた第１のＩＦ信号を選択回路ＳＥＬ１およびミキサＭ１２に分配する。そして、ミキサＭ１２は、分配回路Ｄ１１から受けた第１のＩＦ信号と局部発振回路ＯＳＣ１２から受けた局部発振信号とを乗算することにより、第１のＩＦ信号を第２のＩＦ信号に周波数変換する。このような構成により、ＲＦ信号を受信するための回路としてミキサＭ１１および局部発振回路ＯＳＣ１１を備えるだけで、図３および図４に示すユニバーサルＬＮＢと同様にローバンドのＲＦ信号およびハイバンドのＲＦ信号に対応するＩＦ信号をそれぞれ生成することができる。すなわち、本発明の第１の実施の形態に係る無線受信装置では、ＲＦ信号を受信するための回路をＲＦ信号に対応する数だけ備える必要がなくなり、設計コストおよび原価が高くなることを防ぐことができる。
【００６６】
図８は、本発明の第１の実施の形態に係る無線受信装置の変形例の構成を示す機能ブロック図である。
【００６７】
図８を参照して、無線受信装置２０２は、無線受信装置２０１に対して、さらに、フィルタ回路Ｆ１１，Ｆ１２，Ｆ２１を備える。
【００６８】
分配回路Ｄ１１は、ミキサＭ１１から受けた第１のＩＦ信号をフィルタ回路Ｆ１１およびＦ１２に分配する。
【００６９】
フィルタ回路Ｆ１１およびＦ１２は、ミキサＭ１１から受けた第１のＩＦ信号のうち、所定の周波数帯域外の周波数成分を減衰させる。
【００７０】
ミキサＭ１２は、フィルタ回路Ｆ１２を通過した第１のＩＦ信号と局部発振回路ＯＳＣ１２から受けた局部発振信号とを乗算することにより、第１のＩＦ信号を第２のＩＦ信号に周波数変換する。
【００７１】
フィルタ回路Ｆ２１は、ミキサＭ１２から受けた第２のＩＦ信号のうち、所定の周波数帯域外の周波数成分を減衰させる。
【００７２】
その他の構成および動作は無線受信装置２０１と同様であるため、ここでは詳細な説明を繰り返さない。このような構成により、無線受信装置の受信特性を向上させることができる。
【００７３】
次に、本発明の他の実施の形態について図面を用いて説明する。なお、図中同一または相当部分には同一符号を付してその説明は繰り返さない。
【００７４】
＜第２の実施の形態＞
本実施の形態は、出力端子を２個備える無線受信装置に関する。以下で説明する内容以外の構成および動作は第１の実施の形態に係る無線受信装置と同様である。
【００７５】
図９は、本発明の第２の実施の形態に係る無線受信装置の構成を示す機能ブロック図である。
【００７６】
図９を参照して、無線受信装置２１１は、第１の実施の形態に係る無線受信装置２０１に対して、さらに、切り替え回路ＳＷ１と、出力端子ＴＯＵＴ２とを備える。
【００７７】
切り替え回路ＳＷ１は、分配回路Ｄ１１から受けた第１のＩＦ信号およびミキサＭ１２から受けた第２のＩＦ信号の分配および選択を行ない、第１のＩＦ信号および第２のＩＦ信号のいずれかを出力端子ＴＯＵＴ１から外部へ出力し、また、第１のＩＦ信号および第２のＩＦ信号のいずれかを出力端子ＴＯＵＴ２から外部へ出力する。
【００７８】
図１０は、本発明の第２の実施の形態に係る無線受信装置における切り替え回路の構成を示す機能ブロック図である。
【００７９】
図１０を参照して、切り替え回路ＳＷ１は、分配回路（第２の分配回路）Ｄ１２と、分配回路（第３の分配回路）Ｄ１３と、選択回路ＳＥＬ２およびＳＥＬ３とを含む。
【００８０】
分配回路Ｄ１２は、分配回路Ｄ１１から受けた第１のＩＦ信号を選択回路ＳＥＬ２およびＳＥＬ３に分配する。分配回路Ｄ１３は、ミキサＭ１２から受けた第２のＩＦ信号を選択回路ＳＥＬ２およびＳＥＬ３に分配する。
【００８１】
選択回路ＳＥＬ２は、分配回路Ｄ１２から受けた第１のＩＦ信号および分配回路Ｄ１３から受けた第２のＩＦ信号のいずれかを選択し、選択したＩＦ信号を出力端子ＴＯＵＴ１から外部へ出力する。選択回路ＳＥＬ３は、分配回路Ｄ１２から受けた第１のＩＦ信号および分配回路Ｄ１３から受けた第２のＩＦ信号のいずれかを選択し、選択したＩＦ信号を出力端子ＴＯＵＴ２から外部へ出力する。
【００８２】
したがって、本発明の第２の実施の形態に係る無線受信装置では、本発明の第１の実施の形態に係る無線受信装置と同様に、ＲＦ信号を受信するための回路をＲＦ信号に対応する数だけ備える必要がなくなり、設計コストおよび原価が高くなることを防ぐことができる。
【００８３】
図１１は、本発明の第２の実施の形態に係る無線受信装置の変形例の構成を示す機能ブロック図である。
【００８４】
図１１を参照して、無線受信装置２１２は、無線受信装置２１１に対して、さらに、フィルタ回路Ｆ１１，Ｆ１２，Ｆ２１を備える。
【００８５】
分配回路Ｄ１１は、ミキサＭ１１から受けた第１のＩＦ信号をフィルタ回路Ｆ１１およびＦ１２に分配する。
【００８６】
フィルタ回路Ｆ１１およびＦ１２は、ミキサＭ１１から受けた第１のＩＦ信号のうち、所定の周波数帯域外の周波数成分を減衰させる。
【００８７】
ミキサＭ１２は、フィルタ回路Ｆ１２を通過した第１のＩＦ信号と局部発振回路ＯＳＣ１２から受けた局部発振信号とを乗算することにより、第１のＩＦ信号を第２のＩＦ信号に周波数変換する。
【００８８】
フィルタ回路Ｆ２１は、ミキサＭ１２から受けた第２のＩＦ信号のうち、所定の周波数帯域外の周波数成分を減衰させる。
【００８９】
その他の構成および動作は無線受信装置２１１と同様であるため、ここでは詳細な説明を繰り返さない。このような構成により、無線受信装置の受信特性を向上させることができる。
【００９０】
次に、本発明の他の実施の形態について図面を用いて説明する。なお、図中同一または相当部分には同一符号を付してその説明は繰り返さない。
【００９１】
＜第３の実施の形態＞
本実施の形態は、出力端子を２個備え、かつ２種類の偏波の無線信号を受信する無線受信装置に関する。以下で説明する内容以外の構成および動作は第１の実施の形態に係る無線受信装置と同様である。
【００９２】
図１２は、ユニバーサルツインＬＮＢの構成の一例を示す機能ブロック図である。
図１２を参照して、このユニバーサルツインＬＮＢは、ホーン部Ｈ１と、低雑音増幅部Ｎ１１およびＮ１２と、バンドパスフィルタＦ１〜Ｆ４と、ミキサＭ１〜Ｍ４と、局部発振回路ＯＳＣ１およびＯＳＣ２と、低雑音増幅器Ａ１３，Ａ１４，Ａ２３，Ａ２４と、分配回路Ｄ６１およびＤ６２と、切り替え回路ＳＷ２と、ＩＦアンプ部Ｎ１２およびＮ２２と、コンデンサＣ１およびＣ２と、ダイオードＺ１およびＺ２と、出力端子ＴＯＵＴ１およびＴＯＵＴ２と、電源制御回路ＰＳとを備える。分配回路Ｄ６１は、抵抗Ｒ１を含む。分配回路Ｄ６２は、抵抗Ｒ２を含む。低雑音増幅部Ｎ１１は、直列接続された低雑音増幅器Ａ１１およびＡ１２を含む。低雑音増幅部Ｎ２１は、直列接続された低雑音増幅器Ａ２１およびＡ２２を含む。ＩＦアンプ部Ｎ１２は、直列接続された低雑音増幅器Ａ１５およびＡ１６を含む。ＩＦアンプ部Ｎ２２は、直列接続された低雑音増幅器Ａ２５およびＡ２６を含む。
【００９３】
ホーン部Ｈは、放送衛星１０６から出力されたＨ偏波の無線信号を入力端子Ｔ１において受信し、低雑音増幅部Ｎ１１へ出力する。また、ホーン部Ｈは、放送衛星１０６から出力されたＶ偏波の無線信号を入力端子Ｔ２において受信し、低雑音増幅部Ｎ２１へ出力する。
【００９４】
低雑音増幅部Ｎ１１は、入力端子Ｔ１を介してホーン部Ｈから受けたＨ偏波の無線信号を低雑音増幅し、分配回路Ｄ６１へ出力する。
【００９５】
低雑音増幅部Ｎ２１は、入力端子Ｔ２を介してホーン部Ｈから受けたＶ偏波の無線信号を低雑音増幅し、分配回路Ｄ６２へ出力する。
【００９６】
分配回路Ｄ６１は、低雑音増幅部Ｎ１１から受けた信号をバンドパスフィルタＦ１およびＦ２に分配する。
【００９７】
分配回路Ｄ６２は、低雑音増幅部Ｎ２１から受けた信号をバンドパスフィルタＦ３およびＦ４に分配する。
【００９８】
バンドパスフィルタＦ１およびＦ２は、分配回路Ｄ６１から受けた信号のうち、所定の周波数帯域外の周波数成分を減衰させる。
【００９９】
バンドパスフィルタＦ３およびＦ４は、分配回路Ｄ６２から受けた信号のうち、所定の周波数帯域外の周波数成分を減衰させる。
【０１００】
ミキサＭ１は、バンドパスフィルタＦ１を通過した信号と局部発振回路ＯＳＣ２から受けた局部発振信号とを乗算することにより、バンドパスフィルタＦ１を通過した信号をＩＦ信号に周波数変換する。
【０１０１】
ミキサＭ４は、バンドパスフィルタＦ４を通過した信号と局部発振回路ＯＳＣ２から受けた局部発振信号とを乗算することにより、バンドパスフィルタＦ４を通過した信号をＩＦ信号に周波数変換する。
【０１０２】
ミキサＭ２は、バンドパスフィルタＦ２を通過した信号と局部発振回路ＯＳＣ１から受けた局部発振信号とを乗算することにより、バンドパスフィルタＦ２を通過した信号をＩＦ信号に周波数変換する。
【０１０３】
ミキサＭ３は、バンドパスフィルタＦ３を通過した信号と局部発振回路ＯＳＣ１から受けた局部発振信号とを乗算することにより、バンドパスフィルタＦ３を通過した信号をＩＦ信号に周波数変換する。
【０１０４】
低雑音増幅器Ａ１３およびＡ１４ならびにＡ２３およびＡ２４は、それぞれミキサＭ１〜Ｍ４から受けたＩＦ信号を低雑音増幅し、切り替え回路ＳＷ２へ出力する。
【０１０５】
切り替え回路ＳＷ２は、低雑音増幅器Ａ１３およびＡ１４ならびにＡ２３およびＡ２４から受けた信号の分配および選択を行ない、低雑音増幅器Ａ１３およびＡ１４ならびにＡ２３およびＡ２４から受けた信号のうちのいずれかの信号をＩＦアンプ部Ｎ１２およびＮ２２にそれぞれ出力する。すなわち、切り替え回路ＳＷ２は、４入力１出力の切り替え回路を２個含む。
【０１０６】
ＩＦアンプ部Ｎ１２は、切り替え回路ＳＷ２から受けたＩＦ信号を低雑音増幅し、出力端子ＴＯＵＴ１から外部へ出力する。ＩＦアンプ部Ｎ２２は、切り替え回路ＳＷ２から受けたＩＦ信号を低雑音増幅し、出力端子ＴＯＵＴ２から外部へ出力する。
【０１０７】
出力端子ＴＯＵＴ１およびＴＯＵＴ２からは、ローバンドの無線信号に対応する９５０ＭＨｚ〜１９５０ＭＨｚの周波数帯域を有するＩＦ信号、またはハイバンドの無線信号に対応する１１００ＭＨｚ〜２１５０ＭＨｚの周波数帯域を有するＩＦ信号が出力される。
【０１０８】
コンデンサＣ１は、ＩＦアンプ部Ｎ１２から受けたＩＦ信号の交流成分のみを通過させる。コンデンサＣ２は、ＩＦアンプ部Ｎ２２から受けたＩＦ信号の交流成分のみを通過させる。
【０１０９】
ＤＢＳチューナ１０４等の外部装置から出力端子ＴＯＵＴ１およびＴＯＵＴ２を介して電源制御回路ＰＳに電力が供給される。
【０１１０】
図１３は、ユニバーサルツインＬＮＢの構成の一例を示す機能ブロック図である。
図１３を参照して、このユニバーサルツインＬＮＢは、入力端子（受信部）ＴＩＮ１およびＴＩＮ２と、ミキサＭ１〜Ｍ４と、分配回路Ｄ６１およびＤ６２と、局部発振回路ＯＳＣ１およびＯＳＣ２と、切り替え回路ＳＷ２と、出力端子ＴＯＵＴ１およびＴＯＵＴ２とを備える。
【０１１１】
分配回路Ｄ６１は、入力端子ＴＩＮ１において受信されたＨ偏波の無線信号をミキサＭ１およびミキサＭ２に分配する。分配回路Ｄ６２は、入力端子ＴＩＮ２において受信されたＶ偏波の無線信号をミキサＭ３およびミキサＭ４に分配する。
【０１１２】
ミキサＭ１は、分配回路Ｄ６１から受けたＨ偏波の無線信号と局部発振回路ＯＳＣ２から受けた局部発振信号とを乗算することにより、Ｈ偏波の無線信号をＩＦ信号に周波数変換する。たとえば、無線受信装置２０１がＨ偏波でハイバンドの無線信号を受信する場合、ミキサＭ５２から出力されるＩＦ信号は１１００ＭＨｚ〜２１５０ＭＨｚの周波数帯域を有する。同様に、ミキサＭ４は、分配回路Ｄ６２から受けたＶ偏波の無線信号と局部発振回路ＯＳＣ２から受けた局部発振信号とを乗算することにより、Ｖ偏波の無線信号をＩＦ信号に周波数変換する。
【０１１３】
ミキサＭ２は、分配回路Ｄ６１から受けたＨ偏波の無線信号と局部発振回路ＯＳＣ１から受けた局部発振信号とを乗算することにより、Ｈ偏波の無線信号をＩＦ信号に周波数変換する。たとえば、無線受信装置２０１がＨ偏波でローバンドの無線信号を受信する場合、ミキサＭ２から出力されるＩＦ信号は９５０ＭＨｚ〜１９５０ＭＨｚの周波数帯域を有する。同様に、ミキサＭ３は、分配回路Ｄ６２から受けたＶ偏波の無線信号と局部発振回路ＯＳＣ１から受けた局部発振信号とを乗算することにより、Ｖ偏波の無線信号をＩＦ信号に周波数変換する。
【０１１４】
切り替え回路ＳＷ２は、ミキサＭ１〜Ｍ４から受けたＩＦ信号の分配および選択を行ない、ミキサＭ１〜Ｍ４から受けたＩＦ信号のいずれかを出力端子ＴＯＵＴ１から外部へ出力し、また、ミキサＭ１〜Ｍ４から受けたＩＦ信号のいずれかを出力端子ＴＯＵＴ２から外部へ出力する。
【０１１５】
たとえば、切り替え回路ＳＷ２は、無線受信装置２０１がＨ偏波でハイバンドの無線信号を受信する場合には、ミキサＭ１から受けた１１００ＭＨｚ〜２１５０ＭＨｚの周波数帯域を有するＩＦ信号を選択して出力する。また、切り替え回路ＳＷ２は、無線受信装置２０１がＨ偏波でローバンドの無線信号を受信する場合には、ミキサＭ２から受けた９５０ＭＨｚ〜１９５０ＭＨｚの周波数帯域を有するＩＦ信号を選択して出力する。また、切り替え回路ＳＷ２は、無線受信装置２０１がＶ偏波でローバンドの無線信号を受信する場合には、ミキサＭ３から受けた９５０ＭＨｚ〜１９５０ＭＨｚの周波数帯域を有するＩＦ信号を選択して出力する。また、切り替え回路ＳＷ２は、無線受信装置２０１がＶ偏波でハイバンドの無線信号を受信する場合には、ミキサＭ４から受けた１１００ＭＨｚ〜２１５０ＭＨｚの周波数帯域を有するＩＦ信号を選択して出力する。
【０１１６】
その他の構成および動作は図１２に示すユニバーサルツインＬＮＢと同様であるため、ここでは詳細な説明を繰り返さない。
【０１１７】
ここで、図１２および図１３に示すユニバーサルツインＬＮＢでは、ハイバンドおよびローバンドならびにＨ偏波およびＶ偏波の無線信号に対応してミキサおよび局部発振回路等で構成されるＲＦ回路を４個備える必要があり、無線受信装置の設計コストおよび原価が高くなってしまう。
【０１１８】
本発明の第３の実施の形態に係る無線受信装置は、このような図１２および図１３に示すユニバーサルツインＬＮＢの問題点を解決する。
【０１１９】
図１４は、本発明の第３の実施の形態に係る無線受信装置の構成を示す機能ブロック図である。
【０１２０】
図１４を参照して、無線受信装置２２１は、入力端子（受信部）ＴＩＮ１およびＴＩＮ２と、ミキサ（ＲＦミキサ）Ｍ１１およびＭ２１と、ミキサ（ＩＦミキサ）Ｍ１２およびＭ２２と、分配回路（第１の分配回路）Ｄ２１およびＤ２２と、局部発振回路ＯＳＣ１１およびＯＳＣ１２と、切り替え回路ＳＷ２と、出力端子ＴＯＵＴ１およびＴＯＵＴ２とを備える。
【０１２１】
局部発振回路ＯＳＣ１１は、たとえば９．７５ＧＨｚの局部発振信号を出力する。局部発振回路ＯＳＣ１２は、たとえば８５０ＭＨｚの局部発振信号を出力する。
【０１２２】
ミキサＭ１１は、入力端子ＴＩＮ１において受信されたＨ偏波の無線信号と局部発振回路ＯＳＣ１１から受けた局部発振信号とを乗算することにより、Ｈ偏波の無線信号を第１のＩＦ信号に周波数変換する。ミキサＭ２１は、入力端子ＴＩＮ１において受信されたＶ偏波の無線信号と局部発振回路ＯＳＣ１１から受けた局部発振信号とを乗算することにより、Ｖ偏波の無線信号を第１のＩＦ信号に周波数変換する。たとえば、無線受信装置２２１がローバンドの無線信号を受信する場合、第１のＩＦ信号は９５０ＭＨｚ〜１９５０ＭＨｚの周波数帯域を有する。また、無線受信装置２２１がハイバンドの無線信号を受信する場合、第１のＩＦ信号は１９５０ＭＨｚ〜３０００ＭＨｚの周波数帯域を有する。
【０１２３】
分配回路Ｄ２１は、ミキサＭ１１から受けた第１のＩＦ信号を切り替え回路ＳＷ２およびミキサＭ１２に分配する。分配回路Ｄ２２は、ミキサＭ２１から受けた第１のＩＦ信号を切り替え回路ＳＷ２およびミキサＭ２２に分配する。
【０１２４】
ミキサＭ１２は、分配回路Ｄ２１から受けた第１のＩＦ信号と局部発振回路ＯＳＣ１２から受けた局部発振信号とを乗算することにより、第１のＩＦ信号を第２のＩＦ信号に周波数変換する。ミキサＭ２２は、分配回路Ｄ２２から受けた第１のＩＦ信号と局部発振回路ＯＳＣ１２から受けた局部発振信号とを乗算することにより、第１のＩＦ信号を第２のＩＦ信号に周波数変換する。たとえば、無線受信装置２０１がハイバンドの無線信号を受信する場合、第２のＩＦ信号は１１００ＭＨｚ〜２１５０ＭＨｚの周波数帯域を有する。
【０１２５】
切り替え回路ＳＷ２は、分配回路Ｄ２１およびＤ２２ならびにミキサＭ１１およびＭ１２から受けたＩＦ信号の分配および選択を行ない、分配回路Ｄ２１およびＤ２２ならびにミキサＭ１１およびＭ１２から受けたＩＦ信号のいずれかを出力端子ＴＯＵＴ１から外部へ出力し、また、分配回路Ｄ２１およびＤ２２ならびにミキサＭ１１およびＭ１２から受けたＩＦ信号のいずれかを出力端子ＴＯＵＴ２から外部へ出力する。
【０１２６】
たとえば、切り替え回路ＳＷ２は、無線受信装置２０１がＨ偏波でローバンドの無線信号を受信する場合には、分配回路Ｄ２１から受けた９５０ＭＨｚ〜１９５０ＭＨｚの周波数帯域を有するＩＦ信号を選択して出力する。また、切り替え回路ＳＷ２は、無線受信装置２０１がＶ偏波でローバンドの無線信号を受信する場合には、分配回路Ｄ２２から受けた９５０ＭＨｚ〜１９５０ＭＨｚの周波数帯域を有するＩＦ信号を選択して出力する。また、切り替え回路ＳＷ２は、無線受信装置２０１がＨ偏波でハイバンドの無線信号を受信する場合には、ミキサＭ１２から受けた１１００ＭＨｚ〜２１５０ＭＨｚの周波数帯域を有するＩＦ信号を選択して出力する。また、切り替え回路ＳＷ２は、無線受信装置２０１がＶ偏波でハイバンドの無線信号を受信する場合には、ミキサＭ２２から受けた１１００ＭＨｚ〜２１５０ＭＨｚの周波数帯域を有するＩＦ信号を選択して出力する。
【０１２７】
その他の構成および動作は図１３に示すユニバーサルツインＬＮＢと同様であるため、ここでは詳細な説明を繰り返さない。
【０１２８】
したがって、本発明の第３の実施の形態に係る無線受信装置では、本発明の第１の実施の形態に係る無線受信装置と同様に、ＲＦ信号を受信するための回路をＲＦ信号に対応する数だけ備える必要がなくなり、設計コストおよび原価が高くなることを防ぐことができる。
【０１２９】
図１５は、本発明の第３の実施の形態に係る無線受信装置の変形例の構成を示す機能ブロック図である。
【０１３０】
図１５を参照して、無線受信装置２２２は、無線受信装置２２１に対して、さらに、フィルタ回路Ｆ１１〜Ｆ１４およびＦ２１〜Ｆ２２を備える。
【０１３１】
分配回路Ｄ２１は、ミキサＭ１１から受けた第１のＩＦ信号をフィルタ回路Ｆ１１およびＦ１２に分配する。分配回路Ｄ２２は、ミキサＭ２１から受けた第１のＩＦ信号をフィルタ回路Ｆ１３およびＦ１４に分配する。
【０１３２】
フィルタ回路Ｆ１１およびＦ１２は、ミキサＭ１１から受けた第１のＩＦ信号のうち、所定の周波数帯域外の周波数成分を減衰させる。フィルタ回路Ｆ１３およびＦ１４は、ミキサＭ２１から受けた第１のＩＦ信号のうち、所定の周波数帯域外の周波数成分を減衰させる。
【０１３３】
ミキサＭ１２は、フィルタ回路Ｆ１２を通過した第１のＩＦ信号と局部発振回路ＯＳＣ１２から受けた局部発振信号とを乗算することにより、第１のＩＦ信号を第２のＩＦ信号に周波数変換する。ミキサＭ２２は、フィルタ回路Ｆ１４を通過した第１のＩＦ信号と局部発振回路ＯＳＣ１２から受けた局部発振信号とを乗算することにより、第１のＩＦ信号を第２のＩＦ信号に周波数変換する。
【０１３４】
フィルタ回路Ｆ２１は、ミキサＭ１２から受けた第２のＩＦ信号のうち、所定の周波数帯域外の周波数成分を減衰させる。フィルタ回路Ｆ２２は、ミキサＭ２２から受けた第２のＩＦ信号のうち、所定の周波数帯域外の周波数成分を減衰させる。
【０１３５】
その他の構成および動作は無線受信装置２２１と同様であるため、ここでは詳細な説明を繰り返さない。このような構成により、無線受信装置の受信特性を向上させることができる。
【０１３６】
図１６は、本発明の第３の実施の形態に係る無線受信装置の変形例の構成を示す機能ブロック図である。
【０１３７】
図１６を参照して、無線受信装置２２３は、無線受信装置２２１に対して、さらに、出力端子ＴＯＵＴ３およびＴＯＵＴ４を備え、また、切り替え回路ＳＷ２を備えない構成である。
【０１３８】
無線受信装置２２３がＨ偏波でローバンドの無線信号を受信する場合には、ローバンドに対応する９５０ＭＨｚ〜１９５０ＭＨｚの周波数帯域を有するＩＦ信号が出力端子ＴＯＵＴ１から外部へ出力される。また、無線受信装置２２３がＶ偏波でローバンドの無線信号を受信する場合には、ローバンドに対応する９５０ＭＨｚ〜１９５０ＭＨｚの周波数帯域を有するＩＦ信号が出力端子ＴＯＵＴ２から外部へ出力される。また、無線受信装置２２３がＨ偏波でハイバンドの無線信号を受信する場合には、ハイバンドに対応する１１００ＭＨｚ〜２１５０ＭＨｚの周波数帯域を有するＩＦ信号が出力端子ＴＯＵＴ３から外部へ出力される。また、無線受信装置２２３がＶ偏波でハイバンドの無線信号を受信する場合には、ハイバンドに対応する１１００ＭＨｚ〜２１５０ＭＨｚの周波数帯域を有するＩＦ信号が出力端子ＴＯＵＴ４から外部へ出力される。
【０１３９】
その他の構成および動作は無線受信装置２２１と同様であるため、ここでは詳細な説明を繰り返さない。
【０１４０】
図１７は、本発明の第３の実施の形態に係る無線受信装置の変形例の構成を示す機能ブロック図である。
【０１４１】
図１７を参照して、無線受信装置２２４は、無線受信装置２２２に対して、さらに、出力端子ＴＯＵＴ３およびＴＯＵＴ４を備え、また、切り替え回路ＳＷ２を備えない構成である。
【０１４２】
その他の構成および動作は無線受信装置２２２と同様であるため、ここでは詳細な説明を繰り返さない。このような構成により、無線受信装置の受信特性を向上させることができる。
【０１４３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１４４】
【図１】本発明の第１の実施の形態に係る衛星放送受信システムの構成を示す図である。
【図２】ＬＮＢの構成の一例を示す機能ブロック図である。
【図３】ユニバーサルＬＮＢの構成の一例を示す機能ブロック図である。
【図４】ユニバーサルＬＮＢの構成の一例を示す機能ブロック図である。
【図５】本発明の第１の実施の形態に係る無線受信装置の構成を示す機能ブロック図である。
【図６】図３または図４に示すユニバーサルＬＮＢがＲＦ信号をＩＦ信号に周波数変換する動作を示す図である。
【図７】本発明の第１の実施の形態に係る無線受信装置がＲＦ信号をＩＦ信号に周波数変換する動作を示す図である。
【図８】本発明の第１の実施の形態に係る無線受信装置の変形例の構成を示す機能ブロック図である。
【図９】本発明の第２の実施の形態に係る無線受信装置の構成を示す機能ブロック図である。
【図１０】本発明の第２の実施の形態に係る無線受信装置における切り替え回路の構成を示す機能ブロック図である。
【図１１】本発明の第２の実施の形態に係る無線受信装置の変形例の構成を示す機能ブロック図である。
【図１２】ユニバーサルツインＬＮＢの構成の一例を示す機能ブロック図である。
【図１３】ユニバーサルツインＬＮＢの構成の一例を示す機能ブロック図である。
【図１４】本発明の第３の実施の形態に係る無線受信装置の構成を示す機能ブロック図である。
【図１５】本発明の第３の実施の形態に係る無線受信装置の変形例の構成を示す機能ブロック図である。
【図１６】本発明の第３の実施の形態に係る無線受信装置の変形例の構成を示す機能ブロック図である。
【図１７】本発明の第３の実施の形態に係る無線受信装置の変形例の構成を示す機能ブロック図である。
【符号の説明】
【０１４５】
１０１  アンテナ、１０２  ＬＮＢ（無線受信装置）、１０３  ＢＳ−ＩＦケーブル、１０４  ＤＢＳチューナ、１０５  テレビジョン受像機、２０１，２０２，２１１，２１２，２２１〜２２４  無線受信装置、Ｈ６１，Ｈ１  ホーン部、Ｎ１１，Ｎ５１  低雑音増幅部、Ｎ１２，Ｎ２２  ＩＦアンプ部、Ｆ１〜Ｆ４  バンドパスフィルタ、Ｍ１〜Ｍ４，Ｍ５１，Ｍ５２  ミキサ、Ｍ１１，Ｍ２１  ミキサ（ＲＦミキサ）、Ｍ１２，Ｍ２２  ミキサ（ＩＦミキサ）、ＯＳＣ１，ＯＳＣ２，ＯＳＣ１１，ＯＳＣ１２，ＯＳＣ６１  局部発振回路、Ｌ１  コイル、Ｃ１，Ｃ２  コンデンサ、ＴＯＵＴ１〜ＴＯＵＴ４  出力端子、ＰＳ  電源制御回路、ＴＩＮ１，ＴＩＮ２  入力端子（受信部）、Ａ１１〜Ａ１６，Ａ２１〜Ａ２６  低雑音増幅器、Ｄ１１，Ｄ２１，Ｄ２２  第１の分配回路、Ｄ１２  第２の分配回路、Ｄ１３  第３の分配回路、Ｄ５１，Ｄ６１，Ｄ６２  分配回路、ＳＥＬ１〜ＳＥＬ３  選択回路、Ｆ１１〜Ｆ１４，Ｆ２１〜Ｆ２２  フィルタ回路、Ｒ１，Ｒ２  抵抗、ＳＷ１，ＳＷ２  切り替え回路、Ｚ１，Ｚ２  ダイオード。
【図１】
2007282094.tif 000003
【図２】
2007282094.tif 000004
【図３】
2007282094.tif 000005
【図４】
2007282094.tif 000006
【図５】
2007282094.tif 000007
【図６】
2007282094.tif 000008
【図７】
2007282094.tif 000009
【図８】
2007282094.tif 000010
【図９】
2007282094.tif 000011
【図１０】
2007282094.tif 000012
【図１１】
2007282094.tif 000013
【図１２】
2007282094.tif 000014
【図１３】
2007282094.tif 000015
【図１４】
2007282094.tif 000016
【図１５】
2007282094.tif 000017
【図１６】
2007282094.tif 000018
【図１７】
2007282094.tif 000019
【手続補正書】
【提出日】平成19年4月6日(2007.4.6)
【手続補正１】
【補正対象書類名】明細書
【補正対象項目名】００３３
【補正方法】変更
【補正の内容】
【００３３】
ホーン部Ｈ１は、たとえば導波管内のアンテナプローブである入力端子（受信部）ＴＩＮ１およびＴＩＮ２とを含む。低雑音増幅部Ｎ５１は、低雑音増幅器Ａ１１，Ａ１２，Ａ３１を含む。
【手続補正２】
【補正対象書類名】明細書
【補正対象項目名】００３４
【補正方法】変更
【補正の内容】
【００３４】
ホーン部Ｈ１は、放送衛星１０６から送信された無線信号を受信する。放送衛星１０６から送信される無線信号は、たとえばローバンドすなわち１０．７ＧＨｚ〜１１．７ＧＨｚの周波数帯域を有する無線信号（周波数成分）、およびハイバンドすなわち１１．７ＧＨｚ〜１２．７５ＧＨｚの周波数帯域を有する無線信号（周波数成分）を含む。
【手続補正３】
【補正対象書類名】明細書
【補正対象項目名】００３５
【補正方法】変更
【補正の内容】
【００３５】
また、放送衛星１０６から出力される無線信号には、Ｖ偏波（垂直偏波）およびＨ偏波（水平偏波）という２種類の偏波が存在する。このため、ホーン部Ｈ１は、両偏波の無線信号を受信するための２個の入力端子を有し、各入力端子で受信した両偏波の無線信号を各低雑音増幅器へ出力する。
【手続補正４】
【補正対象書類名】明細書
【補正対象項目名】００３６
【補正方法】変更
【補正の内容】
【００３６】
すなわち、ホーン部Ｈ１は、放送衛星１０６から出力されたＨ偏波の無線信号を、入力端子ＴＩＮ１において受信し、低雑音増幅器Ａ１１へ出力する。また、ホーン部Ｈ１は、放送衛星１０６から出力されたＶ偏波の無線信号を、入力端子ＴＩＮ２において受信し、低雑音増幅器Ａ１２へ出力する。
【手続補正５】
【補正対象書類名】明細書
【補正対象項目名】００３７
【補正方法】変更
【補正の内容】
【００３７】
低雑音増幅部Ｎ５１は、入力端子ＴＩＮ１を介してホーン部Ｈ１から受けたＨ偏波の無線信号を低雑音増幅器Ａ１１およびＡ３１において低雑音増幅し、バンドパスフィルタＦ１へ出力する。
【手続補正６】
【補正対象書類名】明細書
【補正対象項目名】００３８
【補正方法】変更
【補正の内容】
【００３８】
低雑音増幅部Ｎ５１は、入力端子ＴＩＮ２を介してホーン部Ｈ１から受けたＶ偏波の無線信号を低雑音増幅器Ａ１２およびＡ３１において低雑音増幅し、バンドパスフィルタＦ１へ出力する。
【手続補正７】
【補正対象書類名】明細書
【補正対象項目名】００６０
【補正方法】変更
【補正の内容】
【００６０】
なお、無線受信装置２０１は、選択回路ＳＥＬ１を備えず、第１のＩＦ信号および第２のＩＦ信号を出力端子ＴＯＵＴ１から外部へ出力する構成であってもよい。また、無線受信装置２０１は、選択回路ＳＥＬ１の代わりに電源制御回路ＰＳを備え、局部発振回路ＯＳＣ１１への電力供給および局部発振回路ＯＳＣ１２への電力供給を切り替えることにより、第１のＩＦ信号および第２のＩＦ信号のいずれかを選択して外部へ出力する構成であってもよい。
【手続補正８】
【補正対象書類名】明細書
【補正対象項目名】００９２
【補正方法】変更
【補正の内容】
【００９２】
図１２は、ユニバーサルツインＬＮＢの構成の一例を示す機能ブロック図である。
図１２を参照して、このユニバーサルツインＬＮＢは、ホーン部Ｈ１と、低雑音増幅部Ｎ１１およびＮ２１と、バンドパスフィルタＦ１〜Ｆ４と、ミキサＭ１〜Ｍ４と、局部発振回路ＯＳＣ１およびＯＳＣ２と、低雑音増幅器Ａ１３，Ａ１４，Ａ２３，Ａ２４と、分配回路Ｄ６１およびＤ６２と、切り替え回路ＳＷ２と、ＩＦアンプ部Ｎ１２およびＮ２２と、コンデンサＣ１およびＣ２と、ダイオードＺ１およびＺ２と、出力端子ＴＯＵＴ１およびＴＯＵＴ２と、電源制御回路ＰＳとを備える。分配回路Ｄ６１は、抵抗Ｒ１を含む。分配回路Ｄ６２は、抵抗Ｒ２を含む。低雑音増幅部Ｎ１１は、直列接続された低雑音増幅器Ａ１１およびＡ１２を含む。低雑音増幅部Ｎ２１は、直列接続された低雑音増幅器Ａ２１およびＡ２２を含む。ＩＦアンプ部Ｎ１２は、直列接続された低雑音増幅器Ａ１５およびＡ１６を含む。ＩＦアンプ部Ｎ２２は、直列接続された低雑音増幅器Ａ２５およびＡ２６を含む。
【手続補正９】
【補正対象書類名】明細書
【補正対象項目名】００９３
【補正方法】変更
【補正の内容】
【００９３】
ホーン部Ｈ１は、放送衛星１０６から出力されたＨ偏波の無線信号を入力端子ＴＩＮ１において受信し、低雑音増幅部Ｎ１１へ出力する。また、ホーン部Ｈ１は、放送衛星１０６から出力されたＶ偏波の無線信号を入力端子ＴＩＮ２において受信し、低雑音増幅部Ｎ２１へ出力する。
【手続補正１０】
【補正対象書類名】明細書
【補正対象項目名】００９４
【補正方法】変更
【補正の内容】
【００９４】
低雑音増幅部Ｎ１１は、入力端子ＴＩＮ１を介してホーン部Ｈ１から受けたＨ偏波の無線信号を低雑音増幅し、分配回路Ｄ６１へ出力する。
【手続補正１１】
【補正対象書類名】明細書
【補正対象項目名】００９５
【補正方法】変更
【補正の内容】
【００９５】
低雑音増幅部Ｎ２１は、入力端子ＴＩＮ２を介してホーン部Ｈ１から受けたＶ偏波の無線信号を低雑音増幅し、分配回路Ｄ６２へ出力する。
【手続補正１２】
【補正対象書類名】明細書
【補正対象項目名】０１０５
【補正方法】変更
【補正の内容】
【０１０５】
切り替え回路ＳＷ２は、低雑音増幅器Ａ１３およびＡ１４ならびにＡ２３およびＡ２４から受けた信号の分配および選択を行ない、低雑音増幅器Ａ１３およびＡ１４ならびにＡ２３およびＡ２４から受けた信号のうちのいずれかの信号をＩＦアンプ部Ｎ１２およびＮ２２にそれぞれ出力する。すなわち、切り替え回路ＳＷ２は、４入力１出力の選択回路を２個含む。
【手続補正１３】
【補正対象書類名】明細書
【補正対象項目名】０１１２
【補正方法】変更
【補正の内容】
【０１１２】
ミキサＭ１は、分配回路Ｄ６１から受けたＨ偏波の無線信号と局部発振回路ＯＳＣ２から受けた局部発振信号とを乗算することにより、Ｈ偏波の無線信号をＩＦ信号に周波数変換する。たとえば、このユニバーサルツインＬＮＢがＨ偏波でハイバンドの無線信号を受信する場合、ミキサＭ２から出力されるＩＦ信号は１１００ＭＨｚ〜２１５０ＭＨｚの周波数帯域を有する。同様に、ミキサＭ４は、分配回路Ｄ６２から受けたＶ偏波の無線信号と局部発振回路ＯＳＣ２から受けた局部発振信号とを乗算することにより、Ｖ偏波の無線信号をＩＦ信号に周波数変換する。
【手続補正１４】
【補正対象書類名】明細書
【補正対象項目名】０１１３
【補正方法】変更
【補正の内容】
【０１１３】
ミキサＭ２は、分配回路Ｄ６１から受けたＨ偏波の無線信号と局部発振回路ＯＳＣ１から受けた局部発振信号とを乗算することにより、Ｈ偏波の無線信号をＩＦ信号に周波数変換する。たとえば、このユニバーサルツインＬＮＢがＨ偏波でローバンドの無線信号を受信する場合、ミキサＭ２から出力されるＩＦ信号は９５０ＭＨｚ〜１９５０ＭＨｚの周波数帯域を有する。同様に、ミキサＭ３は、分配回路Ｄ６２から受けたＶ偏波の無線信号と局部発振回路ＯＳＣ１から受けた局部発振信号とを乗算することにより、Ｖ偏波の無線信号をＩＦ信号に周波数変換する。
【手続補正１５】
【補正対象書類名】明細書
【補正対象項目名】０１１５
【補正方法】変更
【補正の内容】
【０１１５】
たとえば、切り替え回路ＳＷ２は、このユニバーサルツインＬＮＢがＨ偏波でハイバンドの無線信号を受信する場合には、ミキサＭ１から受けた１１００ＭＨｚ〜２１５０ＭＨｚの周波数帯域を有するＩＦ信号を選択して出力する。また、切り替え回路ＳＷ２は、このユニバーサルツインＬＮＢがＨ偏波でローバンドの無線信号を受信する場合には、ミキサＭ２から受けた９５０ＭＨｚ〜１９５０ＭＨｚの周波数帯域を有するＩＦ信号を選択して出力する。また、切り替え回路ＳＷ２は、このユニバーサルツインＬＮＢがＶ偏波でローバンドの無線信号を受信する場合には、ミキサＭ３から受けた９５０ＭＨｚ〜１９５０ＭＨｚの周波数帯域を有するＩＦ信号を選択して出力する。また、切り替え回路ＳＷ２は、このユニバーサルツインＬＮＢがＶ偏波でハイバンドの無線信号を受信する場合には、ミキサＭ４から受けた１１００ＭＨｚ〜２１５０ＭＨｚの周波数帯域を有するＩＦ信号を選択して出力する。
【手続補正１６】
【補正対象書類名】明細書
【補正対象項目名】０１２２
【補正方法】変更
【補正の内容】
【０１２２】
ミキサＭ１１は、入力端子ＴＩＮ１において受信されたＨ偏波の無線信号と局部発振回路ＯＳＣ１１から受けた局部発振信号とを乗算することにより、Ｈ偏波の無線信号を第１のＩＦ信号に周波数変換する。ミキサＭ２１は、入力端子ＴＩＮ２において受信されたＶ偏波の無線信号と局部発振回路ＯＳＣ１１から受けた局部発振信号とを乗算することにより、Ｖ偏波の無線信号を第１のＩＦ信号に周波数変換する。たとえば、無線受信装置２２１がローバンドの無線信号を受信する場合、第１のＩＦ信号は９５０ＭＨｚ〜１９５０ＭＨｚの周波数帯域を有する。また、無線受信装置２２１がハイバンドの無線信号を受信する場合、第１のＩＦ信号は１９５０ＭＨｚ〜３０００ＭＨｚの周波数帯域を有する。
【手続補正１７】
【補正対象書類名】明細書
【補正対象項目名】０１２４
【補正方法】変更
【補正の内容】
【０１２４】
ミキサＭ１２は、分配回路Ｄ２１から受けた第１のＩＦ信号と局部発振回路ＯＳＣ１２から受けた局部発振信号とを乗算することにより、第１のＩＦ信号を第２のＩＦ信号に周波数変換する。ミキサＭ２２は、分配回路Ｄ２２から受けた第１のＩＦ信号と局部発振回路ＯＳＣ１２から受けた局部発振信号とを乗算することにより、第１のＩＦ信号を第２のＩＦ信号に周波数変換する。たとえば、無線受信装置２２１がハイバンドの無線信号を受信する場合、第２のＩＦ信号は１１００ＭＨｚ〜２１５０ＭＨｚの周波数帯域を有する。
【手続補正１８】
【補正対象書類名】明細書
【補正対象項目名】０１２５
【補正方法】変更
【補正の内容】
【０１２５】
切り替え回路ＳＷ２は、分配回路Ｄ２１およびＤ２２ならびにミキサＭ１１およびＭ２２から受けたＩＦ信号の分配および選択を行ない、分配回路Ｄ２１およびＤ２２ならびにミキサＭ１１およびＭ２２から受けたＩＦ信号のいずれかを出力端子ＴＯＵＴ１から外部へ出力し、また、分配回路Ｄ２１およびＤ２２ならびにミキサＭ１１およびＭ２２から受けたＩＦ信号のいずれかを出力端子ＴＯＵＴ２から外部へ出力する。
【手続補正１９】
【補正対象書類名】明細書
【補正対象項目名】０１２６
【補正方法】変更
【補正の内容】
【０１２６】
たとえば、切り替え回路ＳＷ２は、無線受信装置２２１がＨ偏波でローバンドの無線信号を受信する場合には、分配回路Ｄ２１から受けた９５０ＭＨｚ〜１９５０ＭＨｚの周波数帯域を有するＩＦ信号を選択して出力する。また、切り替え回路ＳＷ２は、無線受信装置２２１がＶ偏波でローバンドの無線信号を受信する場合には、分配回路Ｄ２２から受けた９５０ＭＨｚ〜１９５０ＭＨｚの周波数帯域を有するＩＦ信号を選択して出力する。また、切り替え回路ＳＷ２は、無線受信装置２２１がＨ偏波でハイバンドの無線信号を受信する場合には、ミキサＭ１２から受けた１１００ＭＨｚ〜２１５０ＭＨｚの周波数帯域を有するＩＦ信号を選択して出力する。また、切り替え回路ＳＷ２は、無線受信装置２２１がＶ偏波でハイバンドの無線信号を受信する場合には、ミキサＭ２２から受けた１１００ＭＨｚ〜２１５０ＭＨｚの周波数帯域を有するＩＦ信号を選択して出力する。
【手続補正２０】
【補正対象書類名】図面
【補正対象項目名】図９
【補正方法】変更
【補正の内容】
【図９】
2007282094.tif 000020
【手続補正２１】
【補正対象書類名】図面
【補正対象項目名】図１１
【補正方法】変更
【補正の内容】
【図１１】
2007282094.tif 000021
【手続補正２２】
【補正対象書類名】図面
【補正対象項目名】図１７
【補正方法】変更
【補正の内容】
【図１７】
2007282094.tif 000022